(57)【要約】【課題】室内ユニットの高さを抑えるとともに、上下方向の風向範囲を拡大した壁掛け型空気調和装置を提供する。【解決手段】壁掛け型室内ユニット２の中央部に吸込み口２３ａ、２３ｂを備えた吸込みグリル２４ａ、２４ｂを備え、この内部に室内熱交換器２０を収納する。そして、その側方位置に室内送風ファン３４と室内送風モータ４０とを備え、これら室内送風ファン３４と室内送風モータ４０とを収納するファンケース２８を室内ユニット本体２６へ駆動機構４１を介して取り付ける。これにより、壁掛け型室内ユニット２の高さを抑えることが出来るとともに、上方へ吹出し口２５を向けることができるため、上下方向への風向範囲を拡大させることができる。【選択図】      図２
2004286235.tif 000002
【特許請求の範囲】
【請求項１】
室内ユニット内に、熱交換器を有する熱交換部と、この熱交換部で熱交換された室内空気を室内空間に吹き出す室内送風ファンを有する送風部とを横並びに設けたことを特徴とする壁掛け型空気調和装置。
【請求項２】
前記室内熱交換器を収納した前記熱交換部に前記室内空気を吸込む吸込み口を設けるとともに、前記送風部に吹出し口を設けたことを特徴とする請求項１に記載の壁掛け型空気調和装置。
【請求項３】
前記送風部は、駆動機構を介して前記室内ユニットへ取り付けて上下方向に回動させたことを特徴とする請求項１または２に記載の壁掛け型空気調和装置。
【請求項４】
前記送風部を、前記熱交換部の双方の側部位置へ設けたことを特徴とする請求項１乃至３のいずれかに記載の壁掛け型空気調和装置。
【請求項５】
前記熱交換部の双方の側部位置へ設けた前記送風部をそれぞれ駆動機構を介して前記室内ユニット本体へ取り付け、前記送風部を個別に回動させたことを特徴とする請求項１乃至４のいずれかに記載の壁掛け型空気調和装置。
【請求項６】
前記熱交換部の双方の側部位置へ設けられたそれぞれの前記送風部を少なくとも１つの室内送風モータで駆動させたことを特徴とする請求項１乃至５のいずれかに記載の壁掛け型空気調和装置。
【請求項７】
前記送風部に備えられた吹き出し口に左右双方への送風を行う風向板を備えたことを特徴とする請求項１乃至６のいずれかに記載の壁掛け型空気調和装置。
【請求項８】
前記熱交換部と前記送風部とに連通して通風口が設けられていることを特徴とする請求項１乃至７のいずれかに記載の壁掛け型空気調和装置。
【請求項９】
前記熱交換部内に備える前記熱交換器を複数の熱交換部に分割し、これら熱交換部を略倒立したＵの字形に配設して構成したことを特徴とする請求項１乃至８のいずれかに記載の壁掛け型空気調和装置。
【発明の詳細な説明】
【０００１】
【発明の属する技術分野】
本発明は、室内ユニットを有する空気調和装置に係り、特に、窓上など高さ方向の寸法が制限される場所へも据付可能な壁掛け型空気調和装置に関する。
【０００２】
【従来の技術】
これまでの壁掛け型空気調和装置では、室外ユニットは、屋外に設置され、室内ユニットは、室内の壁面の上方に据付けられることが一般的である。この室内ユニットは、前面および天面に前記室内の室内空気を吸込む吸込み口が設けられており、前面下方には、風向板を備えた吹出し口が設けられている。
【０００３】
また、近年、地球の温暖化防止から、省エネルギー化が進められており、空気調和装置では、熱交換効率向上のため、ＣＯＰ（Ｃｏｅｆｆｉｃｉｅｎｔ  ＯｆＰｅｒｆｏｒｍａｎｃｅ）の向上が図られて来ている。このため、熱交換率向上の目的で、室内外熱交換部における熱交換部の有効面積は大型化される方向にある。
【０００４】
この室内外熱交換部の大型化は、空気調和装置にとって静音化の面でも有利となるものであるが、昨今の住宅事情から、室内ユニットは、窓上の壁面へ据付けられる場合があるため、この室内ユニットの高さ方向に関して、その寸法は制限されるものとなっていた。
【０００５】
このため、前記室内ユニットでは、室内ユニット本体の前面から天面にかけて吸込み口を設け、前記室内熱交換部を複数の熱交換部に分割し、これら熱交換部を室内ユニット内の前面から天面へわたって略倒立した円弧形状に配設し、その下方に、円筒形状の室内送風ファンを備える構成として前記室内ユニットの高さ方向の寸法を抑えるとともに、ＣＯＰの向上および静音化を実現していた（例えば、特許文献１参照）。
【０００６】
また、前記室内熱交換部を円弧形状とし、室内送風ファンから所定の距離をおいて配設する構成とすることにより、前記室内空気が前記室内熱交換部を均一に通過する様にして、静音化、および、ＣＯＰの向上を行わせることが提案されていた（例えば、特許文献２参照）。
【０００７】
【特許文献１】
特開平１１−２４１８３６号（第３−４頁、第１図）
【０００８】
【特許文献２】
特開閉１１−２８１１４４号（第２−３頁、第１−３図）
【０００９】
【発明が解決しようとする課題】
しかしながら、室内熱交換部の下に室内送風部を配設する構成では、カーテンレールなどを備えた窓上などへ前記室内ユニットを据付ける場合には、該室内ユニットの高さ寸法の関系から据付けが困難な場合があった。
【００１０】
また、通常、室内ユニットは、前面下方に吹出し口が配設されており、その上方前面には、吸込み口が配設されているため、前記吹出し口に備えられた風向板を水平位置にして暖房運転を行わせた場合、前記吹出し口から加温されて吹出された空気が、そのまま吸込み口へと吸込まれてしまうエアーショート現象が発生し易くなってしまい、空調性が悪化してしまうという問題があった。
【００１１】
このため、例えば、ワンルームマンションなどで室内空間の有効利用の観点からロフト（中２階）などが設けられていても、このロフトの暖房を行う場合、上記エアーショート現象が顕著に発生して、思う様な暖房が行えないということが発生した。また、このロフトの暖房が十分行える様な壁面の高さ位置に前記室内ユニットを据付けようとすると、前記ロフトの暖房は行える様にはなるが、室内ユニットが通常据付けられる高さ位置よりも高い位置への据付けとなるため、前記室内ユニットの吹出し口から吹出された温風が床面まで到達しにくくなるという問題点があった。
【００１２】
そこで、本発明の目的は、上記問題点を鑑みてなされたもので、室内ユニットの高さ寸法を抑えるとともに、上下方向の風向範囲を拡大した壁掛け型空気調和装置を提供することにある。
【００１３】
【課題を解決するための手段】
請求項１に記載の発明は、室内ユニット内に、熱交換器を有する熱交換部と、この熱交換部で熱交換された室内空気を室内空間に吹き出す室内送風ファンを有する送風部とを横並びに設けたことを特徴とするものである。
【００１４】
請求項２に記載の発明は、請求項１に記載の発明において、前記室内熱交換器を収納した前記熱交換部に前記室内空気を吸込む吸込み口を設けるとともに、前記送風部に吹出し口を設けたことを特徴とするものである。
【００１５】
請求項３に記載の発明は、請求項１または２に記載の発明において、前記送風部は、駆動機構を介して前記室内ユニットへ取り付けて上下方向に回動させたことを特徴とするものである。
【００１６】
請求項４に記載の発明は、請求項１乃至３のいずれかに記載の発明において、前記送風部を、前記熱交換部の双方の側部位置へ設けたことを特徴とするものである。
【００１７】
請求項５に記載の発明は、請求項１乃至４のいずれかに記載の発明において、前記熱交換部の双方の側部位置へ設けた前記送風部をそれぞれ駆動機構を介して前記室内ユニット本体へ取り付け、前記送風部を個別に回動させたことを特徴とするものである。
【００１８】
請求項６に記載の発明は、請求項１乃至５のいずれかに記載の発明において、前記熱交換部の双方の側部位置へ設けられたそれぞれの前記送風部を少なくとも１つの室内送風モータで駆動させたことを特徴とするものである。
【００１９】
請求項７に記載の発明は、請求項１乃至６のいずれかに記載の発明において、前記送風部に備えられた吹き出し口に左右双方への送風を行う風向板を備えたことを特徴とするものである。
【００２０】
請求項８に記載の発明は、請求項１乃至７のいずれかに記載の発明において、前記熱交換部と前記送風部とに連通して通風口が設けられていることを特徴とするものである。
【００２１】
請求項９に記載の発明は、請求項１乃至８のいずれかに記載の発明において、前記熱交換部内に備える前記熱交換器を複数の熱交換部に分割し、これら熱交換部を略倒立したＵの字形に配設して構成したことを特徴とするものである。
【００２２】
【発明の実施の形態】
以下、本発明の一実施の形態について、図１〜図４を用いて説明を行う。
【００２３】
まず、図１を参照しがなら説明する。図１に示す様に、壁掛け型空気調和装置１００は、室外ユニット１と、壁掛け型室内ユニット２とを、液管３ａおよびガス管３ｂからなるユニット間配管３と、通信配線４とで接続して構成され、室外ユニット１には、圧縮機１０と、四方弁１１と、室外熱交換器１２と、室外電動弁１３と、アキュームレータ１４とが冷媒配管で接続されて内蔵されており、さらに、室外熱交換器１２への送風を行なう室外送風機１５と、室外ユニット１の運転制御、および、壁掛け型室内ユニット２に内蔵された室内制御部２２との通信を行う室外制御部１６とが内蔵されて構成されている。
【００２４】
また、壁掛け型室内ユニット２には、室内熱交換器２０が冷媒配管を接続して内蔵され、さらに、この室内熱交換器２０への送風を行う室内送風機２１と、壁掛け型室内ユニット２の運転制御、および、室外ユニット１に内蔵された室外制御部１６との通信を行う室内制御部２２とが内蔵されている。
【００２５】
次に、図２〜図４を参照しながら説明する。
【００２６】
図２は、この壁掛け型室内ユニット２の正面図であり、図３は、壁掛け型室内ユニット２の側方断面図であり、図４は、この壁掛け型室内ユニット２の組立て分解図である。
【００２７】
図２に示す様に、吹出し口２５は前面を向いている。この壁掛け型室内ユニット２の中央部には、前面に吸込み口２３ａを備えた吸込みグリル２４ａが、天面に吸込み口２３ｂを備えた吸込みグリル２４ｂが、それぞれ備えられており、吸込みグリル２４ａ、２４ｂの内側には、図４に示す様に、室内熱交換器２０が収納された熱交換部４４が設けられている。
【００２８】
また、図２に示す様に、その一方の側部位置には、この壁掛け型室内ユニット２の室内ユニット本体２６と一体成形された側板２７が設けられており、他方の側部位置には、表示部２９を備えた表示部取り付けアングル３０が備えられており、この表示部取り付けアングル３０は、室内ユニット本体２６へ取り付けられている。
【００２９】
さらに、この側板２７、および、表示部取り付けアングル３０のそれぞれの外側には、吹出し口２５を備えたファンケース２８が設けられており、それぞれの吹出し口２５には、図４に示す様に、吹出された空気を左右方向へと風向を変える風向板３８が設けられている。このファンケース２８内には、室内ユニット本体２６から延びる送風モータ取り付けアングル３９に取り付けられた室内送風ファン３４、および、室内送風モータ４０が収納されており、送風部６３を構成している。
【００３０】
吸込みグリル２４ｂは、図４に示す様に、後端縁に設けられた図示しない掛止部により室内ユニット本体２６へ掛止されており、その前隅部には、固定具３５が設けられ、一方は側板２７の側面へ、そして、他方は表示部取り付けアングル３０の側面へ取り付けられている。同様に、吸込みグリル２４ａは、上端部の掛止部４３を吸込みグリル２４ｂの掛止口４２に掛止され、下端部の隅部に設けられた固定具３６により側板２７および表示部取り付けアングル３０の側面へ固定されるものとなっている。
【００３１】
図３に示す様に、壁掛け型室内ユニット２の背面側には、室内ユニット本体２６が備えられており、前記室内制御部２２は、この室内ユニット本体２６の底面部背面側に収納されている。また、室内熱交換器２０は、室内熱交換部２０ａ〜２０ｄで構成され、壁掛け型室内ユニット２内の前側下方には、室内熱交換部２０ａが配設され、その上方には、室内熱交換部２０ｂが配設され、天部には、室内熱交換部２０ｃが配設され、後方には、室内熱交換部２０ｄが配設されている。室内熱交換器２０は、これら室内熱交換部２０ａ〜２０ｄにより略倒立したＵの字形に構成されて設けられている。これにより、前記室内熱交換器２０の有効面積を減少させること無く、前記室内熱交換器２０の高さ方向の寸法を抑えることができる。
【００３２】
また、室内熱交換部２０ａの下方には、室内ユニット本体２６の底部前方にドレンパン３１ａが備えられており、室内熱交換部２０ｄの下方には、ドレンパン３１ｂが、それぞれ設けられており、室内熱交換器２０より滴下したドレン水を滞留させ、後述するドレンホース３７より屋外へ排水するものとされている。
【００３３】
図４に示す様に、室内熱交換器２０の天面には、吸込み口２３ｂを備えた吸込みグリル２４ｂが設けられ、前面には、吸込み口２３ａを備えた吸込みグリル２４ａが、それぞれ設けられており、吸込みグリル２４ａ、２４ｂと室内熱交換器２０との間には吸込み口２３ａ、２３ｂより吸込まれた室内空気をろ過するフィルタ３２が設けられている。このフィルタ３２は、側板２７および表示部取り付けアングル３０の側面に設けられた図示しないガイドレールにより、前面から挿入され、前記室内熱交換器２０の風上に装着されるものとなっている。
【００３４】
倒立したＵの字形に構成された室内熱交換器２０の内側は空洞となっており、図３に示す様に、通風口３３が設けられている。このため、通風口３３の奥には、室内送風ファン３４が確認できる。
【００３５】
そして、図４に示す様に、吸込み口２３ａ、２３ｂから吸込まれた室内空気は、フィルタ３２でろ過され、室内熱交換器２０で熱交換された後、通風口３３を通って、ファンケース２８内へと侵入し、室内送風ファン３４により吹出し口２５から室内空間へと吹出される。
【００３６】
図４に示す様に、室内ユニット本体２６の中央部には、室内熱交換器２０が取り付けられる熱交換部４４が設けられており、室内熱交換器２０の下方には、ドレンパン３１ａ、３１ｂが取り付けられている。
【００３７】
また、この室内熱交換器２０の風上側に備えられたフィルタ３２の前方および上方には、上述の様に吸込みグリル２４ａ、２４ｂが取り付けられているが、この吸込みグリル２４ｂの前端部には、複数個の掛止口４２が設けられ、吸込みグリル２４ａの上端部には、複数個の掛止部４３が設けられており、前記掛止口４２と掛止部４３とが掛合されて、吸込みグリル２４ａ、２４ｂは接続されている。
【００３８】
室内ユニット本体２６の前記熱交換部４４の一側端部には、中央に通風口３３を備えた輪状の表示部取り付けアングル３０が取り付けられ、この取り付けアングル３０の前面には、壁掛け型空気調和装置１００の運転状態などを表示する表示部２９が取り付けられる。
【００３９】
また、室内ユニット本体２６の前記熱交換部４４の両側端には、後方へ円弧状に広がった壁３９ａを備え、室内送風モータ４０を取り付ける送風モータ取り付けアングル３９が、この室内ユニット本体２６と一体に成形されて設けられている。
【００４０】
室内送風モータ４０は、この送風モータ取り付けアングル３９の上記円弧状に広がった壁３９ａの中央で、かつ、熱交換部４４へ向いた側面に取り付けられ、この室内送風モータ４０の駆動軸に室内送風ファン３４が取り付けられる。
【００４１】
そして、この送風モータ取り付けアングル３９の他方の外側を向いた面の中央部には、ステッピングモータなどにより構成される駆動機構４１が取り付けられ、この駆動機構４１を介して、室内送風ファン３４および室内送風モータ４０を収納し、吹出し口２５を備えたファンケース２８が取り付けられる。このファンケース２８は、この駆動機構４１により、この壁掛け型室内ユニット２の前面側の上方から下方までの略１８０度にわたり回動できるものとなっている。
【００４２】
このように、室内熱交換器２０を壁掛け型室内ユニット２の中央部に吸込み口２３ａ、２３ｂを設け、この吸込み口２３ａ、２３ｂの内側に室内熱交換器２０を有する熱交換部４４を配設し、その側部位置に室内送風ファン３４と室内送風モータ４０とを有する送風部６３を配設することで、これまで壁掛け型室内ユニット２内の室内熱交換器２０の下方に位置していた室内送風機２１を収納する空間を前記壁掛け型室内ユニット２の側端部の位置へと移動させることができるため、壁掛け型室内ユニット２の高さを抑えることができる。
【００４３】
また、室内送風ファン３４と室内送風モータ４０を収納するファンケース２８を、駆動機構４１を介して室内ユニット本体へ取り付けることにより、上下方向への送風範囲を拡大することが出来るとともに、この壁掛け型空気調和装置１００が暖房運転を行った場合、吹出し口２５の上方に吸込み口２３ａ、２３ｂが存在しないため、前記吹出し口２５を上方へ向けても、それぞれの吹出し口２５から加温されて吹出された室内空気が、吸込み口２３ａ、または、吸込み口２３ｂから再度壁掛け型室内ユニット２内へと吸込まれてしまうことがないため、この壁掛け型室内ユニット２がエアショート現象を起こしてしまうこともない。
【００４４】
なお、本実施の形態では、壁掛け型室内ユニット２の両側部に備えられた送風部６３に、室内送風ファン３４および室内送風モータ４０を備え、それぞれの前記送風部６３が送風するものとして説明したが、特に、これに限るものでなく、いずれか一方の送風部６３内に室内送風モータ４０を備え、前記一方の送風部６３内に収納された室内送風モータ４０の駆動軸を他方の送風部６３へと延ばして、前記他方の室内送風ファン３４を駆動させるものとしても構わない。
【００４５】
また、本実施の形態では、壁掛け型室内ユニット２の両側部に送風部６３を備えたものとして説明したが、いずれか一方の側部に備えられるものとしても良い。
【００４６】
【発明の効果】
以上の説明より、室内ユニット内に、室内熱交換器を有する熱交換部を設け、前記熱交換部の側部位置へ、前記室内熱交換器で熱交換された室内空気を吹出す送風部を配設したので、壁掛け型室内ユニットの高さを抑えることが可能となる。また、前記送風部を前記熱交換部の側部位置へ駆動機構を介して取り付けているので、上下方向への風向範囲を拡大することができる。
【図面の簡単な説明】
【図１】壁掛け型空気調和装置の冷媒回路図である。
【図２】壁掛け型室内ユニットの正面図である。
【図３】壁掛け型室内ユニットの側方断面図である。
【図４】壁掛け型室内ユニットの組立て分解図である。
【符号の説明】
２  壁掛け型室内ユニット
２０  室内熱交換器
２１  室内送風機
２３  吸込み口
２４  吸込みグリル
２５  吹出し口
２６  室内ユニット本体
２７  側板
２８  ファンケース
２９  表示部
３０  表示部取り付けアングル
３４  室内送風ファン
３８  風向板
４０  室内送風モータ
４１  駆動機構
４４  熱交換部
６３  送風部
【図１】
2004286235.tif 000003
【図２】
2004286235.tif 000004
【図３】
2004286235.tif 000005
【図４】
2004286235.tif 000006